(57)【要約】      （修正有）【課題】商品や役務を宣伝する為に団扇を個人宛に送付するダイレクトメールの提供。【解決手段】封書１は少なくとも片面を透明シートで構成し、該封書内には販売する商品、該商品の商標、又はキャッチフレーズなど記載した団扇の本体３を収容し、団扇の柄４は封書の底を切欠いた穴から外へはみ出して延びている。透明な封書に団扇を収容した形態であり、目に留まることなくゴミ箱に廃棄されるケースは少なく、ダイレクトメールとしての効果を発揮することが出来る。そして、団扇本体の表面には商品や役務が記載され、又は封書には団扇本体の他に商品や役務の内容を詳しく説明したパンフレットを入れることで、その効果は大きい。【選択図】図１
0003147108.tif 000002
【実用新案登録請求の範囲】
【請求項１】
商品や役務を宣伝する為に個人宛に送付するダイレクトメールにおいて、封書は少なくとも片面を透明シートで構成し、該封書内には販売する商品、該商品の商標、又はキャッチフレーズなど記載した団扇の本体を収容し、団扇の柄は封書の底を切欠いた穴から外へはみ出して延びていることを特徴とする団扇を収容したダイレクトメールの形態。
【請求項２】
上記封書には団扇本体の他に、商品や役務の内容を記載したパンフレットを収容した請求項１記載の団扇を収容したダイレクトメールの形態。
【考案の詳細な説明】
【技術分野】
【０００１】
本考案は宣伝用に製作した団扇を収容して安く送付することが出来るダイレクトメールの形態に関するものである。
【背景技術】
【０００２】
近年、色々な商品の販売やサービスの提供を目的とした宣伝・広告用のダイレクトメールが流行っているが、一般には、商品の内容を記載したパンフレットやカタログなどを収容した封書形態として郵送されている。ところで、封書にて郵送されたダイレクトメールは、その大半が開封されることなくゴミ箱に廃棄される場合が多く、ダイレクトメールの役目が果たされない。
【０００３】
ところで、ダイレクトメールの形態は色々あり、例えば実開平７−２３５７０号に係る「商品見本を透視可能な貼り合わせ封筒」は、商品販売を目的とするダイレクトメールにおいて商品見本を外側から透視するに適する貼り合わせ封筒としている。
すなわち、宣伝印刷物を封筒用紙として使用し、内方に折り畳み可能な紙面に接着剤層を重なり合う周縁に塗布して貼り合わせにより封筒を形成できることに着目してなされたもので、長方形状の印刷用紙からなり、１紙面が定型または非定型封筒面積を有し、その紙面が少なくとも２折りに順次折り畳み可能に連続するとともに、その折り畳み紙面の重なり合うほぼ周縁に接着剤層を帯状に形成し、折り畳んで封書として構成可能である一方、上記折り畳み紙面の宛名書面に内部が透視可能な窓部を形成し、封書形成時に該窓部に対向する紙面に商品見本を貼り付け、該貼り付け部上方を返信用葉書等として切り取り可能に構成してなる。
【０００４】
特開平８−９１３８６号に係る「封 書」は、ダイレクトメールによる商品の広告宣伝、購買勧誘媒体の内添を合理的、且つシートに変化性を付与することにより印象を高めて顧客の目を引き、購入申込率を向上させることを目的とするものである。
そこで、適宜な印刷基材上に印刷および／または可変情報をプリントした各種用途別シートを、発送人の意図通りに通読できるように、折り返し片を介して各シート同志を略平面上になるように接合させ、封書中紙として封筒内に設置し、開封時迄は封筒本体と固定している。
【０００５】
このようにダイレクトメールの形態は色々存在している。しかし、ダイレクトメールを受取った場合に、該封書が開封されて収容されているパンフレットやカタログなどに目を通すことは僅かに過ぎない。すなわち、ダイレクトメールを郵送してもその効果は上っていない場合が多い。
【特許文献１】実開平７−２３５７０号に係る「商品見本を透視可能な貼り合わせ封筒」
【特許文献２】特開平８−９１３８６号に係る「封 書」
【考案の開示】
【考案が解決しようとする課題】
【０００６】
このように、従来のダイレクトメールには上記のごとき問題がある。本考案が解決しようとする課題はこの問題点であり、必ず目に留まってダイレクトメールとしての効果を発揮することが出来るように、団扇を収容したダイレクトメールの形態を提供する。
【課題を解決するための手段】
【０００７】
本考案に係るダイレクトメールの形態は透明な封書に団扇を収容した形態としている。しかし、透明封書に収容される部分は団扇本体であって、団扇の柄は封書からはみ出している。ところで、団扇本体の表面には販売対象の商品を掲載し、その他、商品や役務の商標、及びキャッチフレーズなどが記載されている。そして、透明封書の内部には、上記団扇本体の他に商品や役務を詳しく説明したパンフレットを収容する場合もある。ここで、団扇本体に表記される内容は特に限定するものではない。
【考案の効果】
【０００８】
本考案のダイレクトメールは、透明な封書に団扇を収容した形態であり、目に留まることなくゴミ箱に廃棄されるケースは少なく、ダイレクトメールとしての効果を発揮することが出来る。そして、団扇本体の表面には商品や役務が記載され、又は封書には団扇本体の他に商品や役務の内容を詳しく説明したパンフレットを入れることで、その効果は大きい。
【０００９】
仮に、封書を開封しない場合であっても、団扇の柄は封書から外にはみ出して延びているために、そのままの状態で団扇として使うことも出来、その間、透明な封書を通して見ることが出来る商品やその商標を知らしめることで、ダイレクトメールとしての効果を上げることが出来る。一方、団扇の柄を封書から外にはみ出して収容することで、ダイレクトメールの配送料が安くなり、経済上の効果もある。
【実施例】
【００１０】
図１は封書に団扇本体を収容したダイレクトメールの形態を示す実施例である。同図の１は封書、２は団扇を示し、３は団扇本体、４は団扇の柄を夫々表している。図１（ａ）は封書の表面を、図１（ｂ）は封書の裏面を表しており、該封書表面には宛先、氏名を記載したシート５が収容され、封書裏面は透明に成っている。勿論、表面側に宛先、氏名を記載したシート５を収容することなく、この透明な表面に宛先や氏名を直接プリントすることも出来る。又は、宛先や氏名を記載したシールを透明な表面に貼着する場合もある。
【００１１】
該封書自体は表面及び裏面が透明シートで構成されていて、封書１に収容されている団扇本体３を開封することなく裏面から見ることが出来る。ここで、本考案では団扇本体３の表面に記載される内容を限定するものではなく、商品、該商品の商標、役務（サービス）、該役務の商標などが主な事項であり、時にはキャッチフレーズを表記する場合もある。
【００１２】
ところで、本考案のダイレクトメール形態は透明な封書１に団扇本体３を収容し、該封書１の底に設けた穴８から団扇の柄４を挿通して外へはみ出している。団扇全体を封書１に収容した形態で配送したのでは、団扇２を宣伝手段として使用する効果をなくなってしまう。封書１から団扇の柄４がはみ出して延びていることで、一時的でも手元に留めて使われる。
【００１３】
仮に透明な封書１であっても、団扇全体を収容したのでは、そのままゴミ箱に廃棄される可能性が高い。団扇の柄４を封書からはみ出して延ばすことで、該封書１を開封することなくそのまま団扇として使用出来る点に効果がある。そして、同時に透明な封書１を通して団扇本体３に表記されている商品、役務、商標などが目に留まることで、ダイレクトメールとして機能することが出来る。
【００１４】
図２は透明な封書１を示す具体例である。透明封書１は表面と裏面を有した袋を構成し、表面は上方へ延びる蓋部６を有し、該蓋部６は折り返されて裏面に接着し、上部開口７を閉じることが出来る。そして、封書１の底には切欠いて開口した穴８を形成しており、この穴８に団扇の柄４が挿通して外へ延びることが出来る。
【００１５】
ところで、本考案のダイレクトメールは商品や役務を表記した団扇を配送することを主目的としているが、封書１の内部に商品や役務を詳しく説明したパンフレット９を同封する場合もある。この場合、該パンフレット９は団扇本体３と封書１の表面との間に差し込まれ、商品や商標などを表記している団扇本体３の表面を覆うようにしてはならない。
【００１６】
図３は封書１に収容される団扇２及びパンフレット９、それに宛名及び氏名を記載したシート５の展開図を示している。パンフレット９及びシート５は団扇本体３の裏面側に重ね合わされ、封書１の表面との間に収容される。
【図面の簡単な説明】
【００１７】
【図１】団扇を収容したダイレクトメールの形態を示す実施例。
【図２】封書の具体例。
【図３】封書に収容される団扇本体、パンフレット、及びシート。
【符号の説明】
【００１８】
１  封書
２  団扇
３  団扇本体
４  団扇の柄
５  シート
６  蓋部
７  開口
８  穴
９  パンフレット
【図１】
0003147108.tif 000003
【図２】
0003147108.tif 000004
【図３】
0003147108.tif 000005
【手続補正書】
【提出日】平成20年10月3日(2008.10.3)
【手続補正１】
【補正対象書類名】実用新案登録請求の範囲
【補正対象項目名】全文
【補正方法】変更
【補正の内容】
【実用新案登録請求の範囲】
【請求項１】
商品や役務を宣伝する為に個人宛に送付するダイレクトメールにおいて、封書は少なくとも片面を透明シートで構成し、該封書内には販売する商品、該商品の商標、又はキャッチフレーズなど記載した団扇の本体を収容し、団扇の柄は封書の底を切欠いた穴から外へはみ出して延びていることを特徴とする団扇を収容したダイレクトメール。
【請求項２】
上記封書には団扇本体の他に、商品や役務の内容を記載したパンフレットを収容した請求項１記載の団扇を収容したダイレクトメール。